(57)【特許請求の範囲】
【請求項１】
複数のアンテナを用いて、無線端末との間で無線信号の送信及び受信を行うアダプティブアレイ方式の無線基地局であって、
第１の無線端末からの第１の無線リソースを用いて送信される第１の既知信号及び第２の無線端末からの前記第１の無線リソースとは異なる第２の無線リソースを用いて送信される第２の既知信号を含む複数の既知信号を受信する受信部と、
前記第１の無線リソースの周波数帯に基づいて、前記複数の既知信号の中から前記第２の既知信号を選択するとともに、受信された前記第１の既知信号及び受信され且つ選択された前記第２の既知信号に基づいて、ヌルの方向を定めた、前記第１の無線端末との無線通信に利用するアンテナウェイトを算出する算出部と
を備える無線基地局。
【請求項２】
前記算出部は、前記第１の既知信号と前記第２の既知信号とは、同一の周波数幅を有し、且つ、周波数方向において交互に配置されている場合に、前記複数の既知信号の中から前記第２の既知信号を選択する請求項１に記載の無線基地局。
【請求項３】
前記算出部は、前記第１の既知信号と前記第２の既知信号とは、それぞれ周波数方向において、時間帯毎に異なる周波数帯となるように配置されている場合に、前記複数の既知信号の中から、前記第１の既知信号と同一の周波数帯である前記第２の既知信号を選択する請求項１に記載の無線基地局。
【請求項４】
複数のアンテナを用いて、無線端末との間で無線信号の送信及び受信を行うアダプティブアレイ方式の無線基地局における通信制御方法であって、
第１の無線端末からの第１の無線リソースを用いて送信される第１の既知信号及び第２の無線端末からの前記第１の無線リソースとは異なる第２の無線リソースを用いて送信される第２の既知信号を含む複数の既知信号を受信するステップと、
前記第１の無線リソースの周波数帯に基づいて、前記複数の既知信号の中から前記第２の既知信号を選択するステップと、
受信された前記第１の既知信号及び受信され且つ選択された前記第２の既知信号に基づいて、ヌルの方向を定めた、前記第１の無線端末との無線通信に利用するアンテナウェイトを算出するステップと
を備える通信制御方法。
【発明の詳細な説明】
【技術分野】
【０００１】
本発明は、複数のアンテナを用いて、無線端末との間で無線信号の送信及び受信を行う無線基地局、及び、当該無線基地局における通信制御方法に関する。
【背景技術】
【０００２】
３ＧＰＰ（Third Generation Partnership Project）において、現在、規格策定中のＬＴＥ（Long Term Evolution）に対応する無線通信システムでは、無線基地局ｅＮＢ無線端末ＵＥとの間の無線通信において、無線基地局ｅＮＢが無線リソースの割り当てを行っている（例えば、非特許文献１参照）。また、ＬＴＥに対応する無線通信システムでは、無線基地局ｅＮＢ無線端末ＵＥとの間の無線通信に、周波数分割複信（ＦＤＤ：Firequency Division Duplex）と、時分割複信（ＴＤＤ：Time Division Duplex）との何れかが採用される。
【０００３】
更に、ＴＤＤを採用するＬＴＥ（ＴＤＤ−ＬＴＥ）の無線通信システムでは、無線基地局ｅＮＢと、移動する無線端末ＵＥとの間の通信品質を確保すべく、無線基地局ｅＮＢが、下りの無線信号の送信時に無線端末ＵＥの方向へ適応的にビームを向け、他の無線端末ＵＥの方向にヌルを向ける制御（アダプティブアレイ制御）を行うことが検討されている。
【０００４】
アダプティブアレイ制御では、上りの無線リソースであるリソースブロックを用いて無線端末ＵＥから無線基地局ｅＮＢへサウンディング用の参照信号（ＳＲＳ：Sounding Reference Signal）が送信され、無線基地局ｅＮＢは、当該ＳＲＳに基づいて、上りの無線信号に対するアンテナウェイトを算出する。
【先行技術文献】
【非特許文献】
【０００５】
【非特許文献１】3GPP TS 36.211 V8.7.0 ”Physical Channels and Moduration”, MAY 2009
【発明の概要】
【発明が解決しようとする課題】
【０００６】
しかしながら、ＳＲＳは、周波数方向及び時間方向に分散して配置される。このため、アンテナウェイトの算出過程における自己相関行列の算出において、１の無線端末ＵＥからのＳＲＳには、他の無線端末からの干渉信号となるＳＲＳが加わらず、ヌルの方向が定められない場合がある。
【０００７】
上記問題点に鑑み、本発明は、適切なアダプティブアレイ制御を可能とした無線基地局及び通信制御方法を提供することを目的とする。
【課題を解決するための手段】
【０００８】
上述した課題を解決するために、本発明は以下のような特徴を有している。本発明の第１の特徴は、複数のアンテナ（アダプティブアレイアンテナ１０８Ａ、アダプティブアレイアンテナ１０８Ｂ、アダプティブアレイアンテナ１０８Ｃ、アダプティブアレイアンテナ１０８Ｄ）を用いて、無線端末（無線端末ＵＥ２）との間で無線信号の送信及び受信を行うアダプティブアレイ方式の無線基地局（無線基地局ｅＮＢ１）であって、第１の無線端末（無線端末ＵＥ２Ａ）からの第１の無線リソースを用いて送信される第１の既知信号（第１ＳＲＳ）及び第２の無線端末（無線端末ＵＥ２Ｂ）からの前記第１の無線リソースとは異なる第２の無線リソースを用いて送信される第２の既知信号（第２ＳＲＳ）を含む複数の既知信号を受信する受信部（ＦＦＴ処理部１２４）と、前記第１の無線リソースの周波数帯に基づいて、前記複数の既知信号の中から前記第２の既知信号を選択するとともに、受信された前記第１の既知信号及び受信され且つ選択された前記第２の既知信号に基づいて、ヌルの方向を定めた、前記第１の無線端末との無線通信に利用するアンテナウェイトを算出する算出部（ＡＡＳ処理部１２６）とを備えることを要旨とする。
【０００９】
このような特徴によれば、無線基地局は、第１の無線端末との無線通信に利用するアンテナウェイトを算出する際に、第１の無線端末からの第１の無線リソースを用いて送信される第１の既知信号と、第２の無線端末からの第２の無線リソースを用いて送信される第２の既知信号とを用いる。従って、第１の無線端末ＵＥからの第１の既知信号に、第２の無線端末からの第２の既知信号を加えて、ヌルの方向を定めることができ、適切なアダプティブアレイが可能となる。
【００１０】
本発明の第２の特徴は、前記算出部は、前記第１の既知信号と前記第２の既知信号とは、同一の周波数幅を有し、且つ、周波数方向において交互に配置されている場合に、前記複数の既知信号の中から前記第２の既知信号を選択することを要旨とする。
【００１１】
本発明の第３の特徴は、前記算出部は、前記第１の既知信号と前記第２の既知信号とは、それぞれ周波数方向において、時間帯毎に異なる周波数帯となるように配置されている場合に、前記複数の既知信号の中から、前記第１の既知信号と同一の周波数帯である前記第２の既知信号を選択することを要旨とする。
【００１２】
本発明の第４の特徴は、複数のアンテナを用いて、無線端末との間で無線信号の送信及び受信を行うアダプティブアレイ方式の無線基地局における通信制御方法であって、第１の無線端末からの第１の無線リソースを用いて送信される第１の既知信号及び第２の無線端末からの前記第１の無線リソースとは異なる第２の無線リソースを用いて送信される第２の既知信号を含む複数の既知信号を受信するステップと、前記第１の無線リソースの周波数帯に基づいて、前記複数の既知信号の中から前記第２の既知信号を選択するステップと、受信された前記第１の既知信号及び受信され且つ選択された前記第２の既知信号に基づいて、ヌルの方向を定めた、前記第１の無線端末との無線通信に利用するアンテナウェイトを算出するステップとを備えることを要旨とする。
【発明の効果】
【００１３】
本発明によれば、適切なアダプティブアレイ制御が可能となる。
【図面の簡単な説明】
【００１４】
【図１】本発明の実施形態に係る無線通信システムの全体概略構成図である。
【図２】本発明の実施形態に係る無線基地局の構成図である。
【図３】本発明の実施形態に係る、上りリソースブロックのフォーマットを示す図である。
【図４】本発明の実施形態に係る無線通信システムの第１の動作を示すシーケンス図である。
【図５】本発明の実施形態に係る無線通信システムの第２の動作を示すシーケンス図である。
【発明を実施するための形態】
【００１５】
次に、図面を参照して、本発明の実施形態を説明する。具体的には、（１）無線通信システムの構成、（２）無線通信システムの動作、（３）作用・効果、（４）その他の実施形態について説明する。以下の実施形態における図面の記載において、同一又は類似の部分には同一又は類似の符号を付している。
【００１６】
（１）無線通信システムの構成
まず、本発明の実施形態に係る無線通信システムの構成について、（１．１）無線通信システムの全体概略構成、（１．２）無線基地局の構成、（１．３）無線端末の構成の順に説明する。
【００１７】
（１．１）無線通信システムの全体概略構成
図１は、本発明の実施形態に係る無線通信システム１０の全体概略構成図である。
【００１８】
図１に示す無線通信システム１０は、ＴＤＤ−ＬＴＥの無線通信システムである。無線通信システム１０は、無線基地局ｅＮＢ１と、無線端末ＵＥ２Ａ、無線端末ＵＥ２Ｂ、無線端末ＵＥ２Ｃ及び無線端末ＵＥ２Ｄとを含む。図１において、無線基地局ｅＮＢ１は、図示しない他の無線基地局ｅＮＢとともに、Ｅ−ＵＴＲＡＮ（Evolved-UMTS Terrestrial Radio Access Network）を構成する。無線端末ＵＥ２Ａ乃至無線端末ＵＥ２Ｄは、無線基地局ｅＮＢ１が提供する通信可能エリアであるセル３に存在する。
【００１９】
無線基地局ｅＮＢ１と、無線端末ＵＥ２乃至無線端末ＵＥ２Ｄとの間の無線通信には、時分割複信が採用されるとともに、下りの無線通信にはＯＦＤＭＡ（Orthogonal Frequency Division Multiplexing Access）、上りの無線通信にはＳＣ−ＦＤＭＡ（Single Carrier Frequency Division Multiple Access）が採用される。ここで、下りとは、無線基地局ｅＮＢ１から無線端末ＵＥ２Ａ乃至無線端末ＵＥ２Ｄへ向かう方向を意味し、上りとは、無線端末ＵＥ２Ａ乃至無線端末ＵＥ２Ｄから無線基地局ｅＮＢ１へ向かう方向を意味する。
【００２０】
無線基地局ｅＮＢ１は、セル３内の無線端末ＵＥ２Ａ乃至無線端末ＵＥ２Ｄに対して、無線リソースとしてのリソースブロック（ＲＢ：Resource Block）を割り当てる。
【００２１】
リソースブロックは、下りの無線通信に用いられる下りリソースブロック（下りＲＢ）と、上りの無線通信に用いられる上りリソースブロック（上りＲＢ）とがある。複数の下りリソースブロックは、周波数方向に配列される。同様に、複数の上りリソースブロックは、周波数方向に配列される。
【００２２】
下りリソースブロックは、時間方向に、下りの制御情報伝送用の制御情報チャネル（ＰＤＣＣＨ：Physical Downlink Control CHannel）と、下り方向のユーザデータ伝送用の共有データチャネル（ＰＤＳＣＨ：Physical Downlink Shared CHannel）とにより構成される。
【００２３】
一方、上りリソースブロックは、上りの無線通信に使用可能な全周波数帯の両端では、上りの制御情報伝送用の制御情報チャネル（ＰＵＣＣＨ：Physical Uplink Control CHannel）が構成され、中央部では、上りのユーザデータ伝送用の共有データチャネル（ＰＵＳＣＨ：Physical Uplink Shared CHannel）が構成される。
【００２４】
リソースブロックの割り当てに際しては、割り当てられる周波数が、所定の周波数ホッピングパターンに従って変更する周波数ホッピングが適用可能である。
【００２５】
（１．２）無線基地局の構成
図２は、無線基地局ｅＮＢ１の構成図である。図２に示すように、無線基地局ｅＮＢ１は、アダプティブアレイ方式の無線基地局であり、制御部１０２、記憶部１０３、Ｉ／Ｆ部１０４、無線周波数（ＲＦ：Radio Frequency）受信処理部１０５、ベースバンド（ＢＢ：Base band）処理部１０６、ＲＦ送信処理部１０７、アダプティブアレイアンテナ１０８Ａ、アダプティブアレイアンテナ１０８Ｂ、アダプティブアレイアンテナ１０８Ｃ、アダプティブアレイアンテナ１０８Ｄを含む。
【００２６】
制御部１０２は、例えばＣＰＵによって構成され、無線基地局ｅＮＢ１が具備する各種機能を制御する。制御部１０２は、ＲＢ割当部１２０を含む。記憶部１０３は、例えばメモリによって構成され、無線基地局ｅＮＢ１における制御などに用いられる各種情報を記憶する。Ｉ／Ｆ部１０４は、Ｘ１インタフェースを介して、他の無線基地局ｅＮＢとの間で通信可能である。また、Ｉ／Ｆ部１０４は、Ｓ１インターフェースを介して、ＥＰＣ（Evolved Packet Core）、具体的には、ＭＭＥ（Mobility Management Entity）／Ｓ−ＧＷ（Serving Gateway）と通信可能である。
【００２７】
ＲＦ受信処理部１０５は、アダプティブアレイアンテナ１０８Ａ乃至アダプティブアレイアンテナ１０８Ｄを介して、無線端末ＵＥ２Ａ乃至無線端末ＵＥ２Ｄからの無線周波数帯の上り無線信号を受信する。無線端末ＵＥ２Ａ乃至無線端末ＵＥ２Ｄからの上り無線信号の送信には、当該無線端末ＵＥ２Ａ乃至無線端末ＵＥ２Ｄに割り当てられた上りリソースブロックが用いられる。
【００２８】
ＲＦ受信処理部１０５は、図示しないローノイズアンプ（ＬＮＡ：Low Noise Amplifier）、ミキサを内蔵している。ＲＦ受信処理部１０５は、受信した無線周波数帯の上り無線信号を増幅し、ベースバンド信号に変換（ダウンコンバート）する。更に、ＲＦ受信処理部１０５は、ベースバンド信号をＢＢ処理部１０６へ出力する。
【００２９】
ＢＢ処理部１０６は、メモリ１２１、ＣＰ（Cyclic Prefix）除去部１２２、ＦＦＴ（Fast Fourier Transform）処理部１２４、ＡＡＳ（Adaputive Array System）処理部１２６、チャネル等化部１２８、ＩＤＦＴ（Inverse Discrete Fourier Transform）処理部１３０、復調復号部１３２、符号化変調部１３４、ＡＡＳ処理部１３６、ＩＦＦＴ（Inverse Fast Fourier Transform）処理部１３８、ＣＰ付加部１４０を有する。
【００３０】
制御部１０２内のＲＢ割当部１２０は、制御部１０２における、媒体アクセス制御（ＭＡＣ：Media Access Control）層の処理によって得られるリソースブロックの割り当て値（ＲＢ割当値）を取得する。このＲＢ割当値は、無線端末ＵＥ２に対して割り当てられる下りリソースブロック及び上りリソースブロックの識別情報であるリソースブロック番号が含まれる。ＲＢ割当部１２０は、ＲＢ割当値をＡＡＳ処理部１２６及びＡＡＳ処理部１３６へ出力する。
【００３１】
ＣＰ除去部１２２は、入力されたベースバンド信号からＣＰ（Cyclic Prefix）を除去する。ＣＰは、ＯＦＤＭシンボルの終わりの部分の複製であり、マルチパスによって引き起こされるシンボル間干渉を抑制するために設けられたガード・インターバルの期間に含まれる。
【００３２】
ＦＦＴ処理部１２４は、ＣＰが除去されたベースバンド信号に対して、高速フーリエ変換を行い、周波数領域の信号を得る。更に、ＦＦＴ処理部１２４は、周波数領域の信号のうち、サウンディング用の参照信号（ＳＲＳ：Sounding Reference Signal）の送信元である無線端末ＵＥの識別情報と、ＳＲＳの周波数帯の情報、受信レベルの情報、及び、到来方向の情報とを、対応付けてメモリ１２５に記憶させる。
【００３３】
図３は、上りリソースブロックのフォーマットを示す図である。図３に示すように、上りリソースブロックは、時間方向では、１［ｍｓ］の時間長を有するサブフレームによって構成される。サブフレームは、前半のタイムスロット（タイムスロット１）と、後半のタイムスロット（タイムスロット２）とにより構成される。
【００３４】
また、図３に示すように、上りリソースブロックは、周波数方向では、１８０［ｋＨｚ］の周波数幅を有する。また、上りリソースブロックは、１５［ｋＨｚ］の周波数幅を有する１２個のシンボルキャリアＦ１乃至Ｆ１２からなる。
【００３５】
サブフレーム１において、１２個のシンボルキャリアのうち、奇数番号のシンボルキャリアには、無線端末ＵＥ２ＡからのＳＲＳが含まれ、偶数番号のシンボルキャリアには、無線端末ＵＥ２ＢからのＳＲＳが含まれる。また、サブフレーム１に続くサブフレーム２のうち、奇数番号のシンボルキャリアには、無線端末ＵＥ２ＣからのＳＲＳが含まれ、偶数番号のシンボルキャリアには、無線端末ＵＥ２ＤからのＳＲＳが含まれる。
【００３６】
ＡＡＳ処理部１２６は、無線端末ＵＥ２Ａ乃至無線端末ＵＥ２Ｄ毎に、対応するＳＲＳに基づいて、各アダプティブアレイアンテナ１０８Ａ乃至アダプティブアレイアンテナ１０８Ｄについて、上り無線信号の受信時において信号対干渉雑音比（ＳＩＮＲ）が最大となるアンテナウェイト（受信ウェイト）を算出する。
【００３７】
具体的には、図３に示すように上りリソースブロックにＳＲＳが含まれる場合には、無線端末ＵＥ２Ａに対応する受信ウェイトは、以下のようにして算出される。すなわち、ＡＡＳ処理部１２６は、ＲＢ割当値に基づいて、無線端末ＵＥ２Ａに割り当てられた上りリソースブロックの周波数帯を特定する。次に、ＡＡＳ処理部１２６は、特定した上りリソースブロックの周波数帯において、奇数番号のシンボルキャリアに含まれるＳＲＳ（無線端末ＵＥ２ＡからのＳＲＳ）の周波数帯と、当該奇数番号のシンボルキャリアに対して１シンボルキャリア分（１５［ｋＨｚ］）の位相差を有する偶数番号のシンボルキャリアに含まれるＳＲＳ（無線端末ＵＥ２ＢからのＳＲＳ）の周波数帯とが同一であると仮定し、奇数番号のシンボルキャリアに含まれるＳＲＳの受信レベルの情報及び到来方向の情報と、偶数番号のシンボルキャリアに含まれるＳＲＳの受信レベルの情報及び到来方向の情報とをメモリ１２５から読み出す。更に、ＡＡＳ処理部１２６は、奇数番号のシンボルキャリアに含まれるＳＲＳの受信レベルの情報及び到来方向の情報と、偶数番号のシンボルキャリアに含まれるＳＲＳの受信レベルの情報及び到来方向の情報とに基づいて、以下の式（１）により自己相関行列Ｒｚｚを算出する。
【００３８】
【数１】
0005635824.tif 000002
・・・（式１）
【００３９】
更に、ＡＡＳ処理部１２６は、従来と同様、以下の式（２）によりアレイ応答ベクトルＲｚｓを算出するとともに、自己相関行列Ｒｚｚとアレイ応答ベクトルＲｓｚを用いて、以下の式（３）により、無線端末ＵＥ２Ａに対応する受信ウェイトＷｒｘを算出する。
【００４０】
【数２】
0005635824.tif 000003
・・・（式２）
【００４１】
【数３】
0005635824.tif 000004
・・・（式３）
【００４２】
なお、式（１）乃至式（３）において、ｚは受信ＳＲＳ、ｓは理想ＳＲＳ、ｋはアンテナ素子番号、ｆはＳＲＳを含むシンボルキャリアの番号、Ｈは複素共役転置を示す。なお、無線端末ＵＥ２Ｂ乃至無線端末ＵＥ２Ｄに対応する受信ウェイトについても同様にして算出される。
【００４３】
また、上りリソースブロックの割り当てにおいて、周波数ホッピングが適用される場合には、ＡＡＳ処理部１２６は、ＲＢ割当値に基づいて、無線端末ＵＥ２Ａに割り当てられた上りリソースブロックの周波数帯を特定する。次に、ＡＡＳ処理部１２６は、特定した上りリソースブロックの周波数帯における、最新の無線端末ＵＥ２ＡからのＳＲＳの周波数帯の情報、受信レベルの情報及び到来方向の情報をメモリ１２５から読み出す。更に、ＡＡＳ処理部１２６は、メモリ１２５に記憶されている、無線端末ＵＥ２Ｂ乃至無線端末ＵＥ２ＤからのＳＲＳの受信レベルの情報及び到来方向の情報のうち、対応する周波数帯の情報が無線端末ＵＥ２ＡからのＳＲＳの周波数帯の情報と同一であるものを読み出す。
【００４４】
次に、ＡＡＳ処理部１２６は、読み出した無線端末ＵＥ２ＡからのＳＲＳの受信レベルの情報及び到来方向の情報と、読み出した無線端末ＵＥ２Ｂ乃至無線端末ＵＥ２ＤからのＳＲＳの受信レベルの情報及び到来方向の情報とに基づいて、上述の式（１）により自己相関行列Ｒｚｚを算出する。
【００４５】
更に、ＡＡＳ処理部１２６は、従来と同様、上述の式（２）によりアレイ応答ベクトルＲｚｓを算出するとともに、自己相関行列Ｒｚｚとアレイ応答ベクトルＲｓｚを用いて、上述の式（３）により、無線端末ＵＥ２Ａに対応する受信ウェイトＷｒｘを算出する。
【００４６】
チャネル等化部１２８は、周波数領域の信号に対して、チャネル等化処理を行う。ＩＤＦＴ処理部１３０は、チャネル等化処理がなされた信号に対して、逆離散フーリエ変換を行う。復調復号部１３２は、逆離散フーリエ変換がなされた信号に対して復調及び復号処理を行う。これにより、無線端末ＵＥ２が送信したデータが得られる。データは制御部１０２へ出力される。
【００４７】
符号化変調部１３４は、制御部１０２からのデータが入力されると、当該データに対して符号化及び変調を行い、周波数領域の信号を得る。
【００４８】
ＡＡＳ処理部１３６は、各アダプティブアレイアンテナ１０８Ａ乃至アダプティブアレイアンテナ１０８Ｄについて、無線端末ＵＥ２に対する下り無線信号の送信時のアンテナウェイト（送信ウェイト）を設定する。
【００４９】
ＩＦＦＴ処理部１３８は、周波数領域の信号に対して、逆高速フーリエ変換を行い、ベースバンド信号を得る。ＣＰ付加部１４０は、入力されたベースバンド信号にＣＰを付加する。ＣＰ付加部１４０は、ＣＰが付加されたベースバンド信号をＲＦ送信処理部１０７へ出力する。
【００５０】
ＲＦ送信処理部１０７は、図示しないミキサ、パワーアンプを内蔵している。ＲＦ送信処理部１０７は、ＣＰが付加されたベースバンド信号を無線周波数帯の下り無線信号に変換（アップコンバート）する。更に、ＲＦ送信処理部１０７は、無線周波数帯の下り無線信号を増幅し、増幅後の無線周波数帯の下り無線信号を、送信ウェイトが設定されたアダプティブアレイアンテナ１０８Ａ乃至アダプティブアレイアンテナ１０８Ｄを介して送信する。
【００５１】
（２）無線通信システムの動作
図４は、無線通信システム１０の第１の動作を示すシーケンス図である。以下においては、無線端末ＵＥ２Ａの受信ウェイトが算出される場合を例に説明する。
【００５２】
ステップＳ１０１において、無線端末ＵＥ２Ａ乃至無線端末ＵＥ２Ｄは、無線周波数帯の上り無線信号を送信する。無線基地局ｅＮＢ１は、無線端末ＵＥ２Ａ乃至無線端末ＵＥ２Ｄからの無線周波数帯の上り無線信号を受信する。
【００５３】
ステップＳ１０２において、無線基地局ｅＮＢ１は、無線端末ＵＥ２ＡからのＳＲＳ（第１ＳＲＳ）の受信レベル及び到来方向を特定するとともに、無線端末ＵＥ２Ｂ乃至無線端末ＵＥ２ＤからのＳＲＳ（第２ＳＲＳ）の受信レベル及び到来方向を特定する。
【００５４】
ステップＳ１０３において、無線基地局ｅＮＢ１は、第１ＳＲＳに対して１シンボルキャリア分の位相差を有する第２ＳＲＳを特定する。
【００５５】
ステップＳ１０４において、無線基地局ｅＮＢ１は、第１ＳＲＳの受信レベル及び到来方向と、ステップＳ１０３において特定した第２ＳＲＳの受信レベル及び到来方向とに基づいて、無線端末ＵＥ２Ａの受信ウェイトを算出する。
【００５６】
図５は、無線通信システム１０の第２の動作を示すシーケンス図である。以下においては、図４と同様、無線端末ＵＥ２Ａの受信ウェイトが算出される場合を例に説明する。
【００５７】
ステップＳ２０１において、無線端末ＵＥ２Ｂ乃至無線端末ＵＥ２Ｄは、無線周波数帯の上り無線信号を送信する。無線基地局ｅＮＢ１は、無線端末ＵＥ２Ｂ乃至無線端末ＵＥ２Ｄからの無線周波数帯の上り無線信号を受信する。
【００５８】
ステップＳ２０２において、無線基地局ｅＮＢ１は、無線端末ＵＥ２Ｂ乃至無線端末ＵＥ２ＤからのＳＲＳ（第２ＳＲＳ）の受信レベル及び到来方向を特定し、記憶する。
【００５９】
その後、ステップＳ２０３において、受信ウェイトの算出対象である無線端末ＵＥ２Ａは、無線周波数帯の上り無線信号を送信する。無線基地局ｅＮＢ１は、無線端末ＵＥ２Ａからの無線周波数帯の上り無線信号を受信する。
【００６０】
ステップＳ２０４において、無線基地局ｅＮＢ１は、無線端末ＵＥ２ＡからのＳＲＳ（第１ＳＲＳ）の受信レベル及び到来方向を特定する。
【００６１】
ステップＳ２０５において、無線基地局ｅＮＢ１は、第１ＳＲＳと同一の周波数帯の第２ＳＲＳの受信レベル及び到来方向を特定する。
【００６２】
ステップＳ２０６において、無線基地局ｅＮＢ１は、第１ＳＲＳの受信レベル及び到来方向と、ステップＳ２０５において特定した特定した第２ＳＲＳの受信レベル及び到来方向とに基づいて、無線端末ＵＥ２Ａの受信ウェイトを算出する。
【００６３】
（３）作用・効果
以上説明したように、本実施形態によれば、無線基地局ｅＮＢ１は、無線端末ＵＥ２Ａとの無線通信に利用する受信ウェイトを算出する際に、当該無線端末ＵＥ２ＡからのＳＲＳを用いるとともに、無線端末ＵＥ２Ｂ乃至無線端末ＵＥ２ＤからのＳＲＳの少なくとも何れかを用いる。従って、無線端末ＵＥ２ＡからのＳＲＳに、無線端末２Ｂ乃至無線端末２ＤからのＳＲＳの何れかを加えて、ヌルの方向を定めることができ、適切なアダプティブアレイが可能となる。
【００６４】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００６５】
上述した実施形態では、無線基地局ｅＮＢ１は、ＳＲＳに基づいて、受信ウェイトを算出したが、上り無線信号に含まれる他の信号に基づいて、受信ウェイトを設定してもよい。
【００６６】
上述した実施形態では、ＴＤＤ−ＬＴＥの無線通信システムについて説明したが、無線端末に割り当てられる上り無線信号の周波数帯と、下り無線信号の周波数帯とが異なる、上下非対称通信が採用される無線通信システムであれば、同様に本発明を適用できる。
【００６７】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００６８】
ｅＮＢ１…無線基地局、ＵＥ２…無線端末、３…セル、１０…無線通信システム、１０２…制御部、１０３…記憶部、１０４…Ｉ／Ｆ部、１０５…ＲＦ受信処理部、１０６…ＢＢ処理部、１０７…ＲＦ送信処理部、１０８Ａ、１０８Ｂ、１０８Ｃ、１０８Ｄ…アダプティブアレイアンテナ、１２０…ＲＢ割当部、１２１…メモリ、１２２…ＣＰ除去部、１２４…ＦＦＴ処理部、１２５…メモリ、１２６…ＡＡＳ処理部、１２８…チャネル等化部、１３０…ＩＤＦＴ処理部、１３２…復調復号部、１３４…符号化変調部、１３６…ＡＡＳ処理部、１３８…ＩＦＦＴ処理部、１４０…ＣＰ付加部
【図１】
0005635824.tif 000005
【図２】
0005635824.tif 000006
【図３】
0005635824.tif 000007
【図４】
0005635824.tif 000008
【図５】
0005635824.tif 000009